(57)【要約】【課題】  テニスラケットの形状、構造、機能に大きな変化がなく、マンネリズムの傾向で、魅力や期待度の希薄、モチベーションの停滞、又、アスリートと一般プレーヤーの二極化の異種特性のテニスラケットの技術性能に大きな温度差があるという不都合を解決すること。【解決手段】  テニスラケットのフェイスの形を凹凸曲線形状とし、スイートスポットの中央部のストリングの目を最小、中央部からフレームに目の密度を細から粗へ広くして、フレーム部分で目が最大となり、目の密度が最小の縦糸と横糸のフレーム部分のフェイス・フレームの縦方向と横方向に凸曲線形状の広がりを最大限とし、最大限の隣り合わせの、中間や複数の分割どころに、広がりが凹曲線形状の変形構造にし、最大限となる４箇所の部分かフレーム全体に衝撃・振動吸収機能を有することにより、この課題を解決する。【選択図】図１
2007130406.tif 000002
【特許請求の範囲】
【請求項１】
テニスラケットのフェイスの形を凹凸曲線形状とし、フェイス全体が多様性ある可変的な構成のものを有することで、ラケットの技術性能を最適にすることを特徴とする変形構造のテニスラケット。
【請求項２】
テニスラケットの各種フェイス、及び、フェイス面積上において、スイートスポットの中央部はストリングの目を最小にし、中央部からフレームにかけて、ストリングの目の密度を細から粗へ適度に間隔を広くして行き、フレーム部分でストリングの目が最大となるようにして、ストリングの目の密度が最小の縦糸と横糸のフレーム部分の内側のフェイス・フレームの縦方向と横方向に凸曲線形状の広がりを最大限とし、縦方向と横方向の広がりの最大限の隣り合わせの、中間どころや複数の分割どころに、フレーム部分の内側の広がりが凹曲線形状となるような構成で、ストリングの目の密度やフェイス面積に適応してフェイスとフェイスのフレーム全体を凹凸曲線形状の左右対称の変形構造にし、ストリング密度とフレーム形状を可変することによって、反発力を高め、反発性の均一化と衝撃、振動の緩和を総合的に実現することを特徴とする請求項１記載の変形構造のテニスラケット。
【請求項３】
テニスラケットの各種フェイス、フェイス面上において、ストリングの目の密度が最小の縦糸と横糸のフレーム部分で、広がりが最大限となる４箇所のスイートエリアの区分部のフレーム・パイプ内外周のストリングのグロメット面側か全面側に正弦曲線形状、ジグザグ曲線形状のフレーム、あるいは、フレーム・パイプ内部に衝撃緩和・振動吸収機能、弾性素材などの材料を含むものを、フレームの広さが大きい４箇所の部分かフェイスのフレーム全体的に融合したフレームを設けることで、ボールインパクト時の衝撃、振動を軽減することを特徴とする請求項２記載の変形構造のテニスラケット。
【発明の詳細な説明】
【技術分野】
【０００１】  本発明は、スポーツ用具のテニスラケットに関するものであり、テニスラケット特有の形状、構造、機能に工夫を加えることによって、テニスラケットが反発力を高め、反発性の均一化とコントロール性を図り、衝撃、振動を軽減するようにしたものである。
【背景技術】
【０００２】  従来、テニスラケットは、ストリングの目の密度が同一テニスラケットでは、ほぼ同じであり、フェイス形状も四角型、丸型、楕円型などを利用したテニスの運動スタイルに定着している。
【発明の開示】
【発明が解決しようとする課題】
【０００３】  しかし、従来のようなテニスラケットでは、形状、構造、機能などに大きな変化がなく、マンネリズムの傾向にあり、プレーヤーのテニスへの魅力や期待度の希薄、テニスに対応する運動能力や運動感覚などのスキルアップへのモチベーションの停滞、又、強力なボールを追求するハードヒッターやアスリート、楽なボールで健康や社交志向のテニスをしたいエンジョイタイプのプレーヤーの、二極化に対する異種特性のテニスラケットである、ラケットのブレが少なくコントロール性が高いものと、スイートエリアが広く反発力が大きいものがあり、対照的なテニスラケットの技術性能に、大きな温度差が生じているのが現状である。本発明は、これらの不都合を解決することを課題とする。
【課題を解決するための手段】
【０００４】  この課題を解決するための請求項１の発明は、テニスラケットのフェイスの形を凹凸曲線形状とし、フェイス全体が多様性ある可変的な構成のものを有することで、ラケットの技術性能を最適にすることを特徴とする。【０００５】  又、請求項２の発明は、テニスラケットの各種フェイス、及び、フェイス面積上において、スイートスポットの中央部はストリングの目を最小にし、中央部からフレームにかけて、ストリングの目の密度を細から粗へ適度に間隔を広くして行き、フレーム部分でストリングの目が最大となるようにして、ストリングの目の密度が最小の縦糸と横糸のフレーム部分の内側のフェイス・フレームの縦方向と横方向に凸曲線形状の広がりを最大限とし、縦方向と横方向の広がりの最大限の隣り合わせの、中間どころや複数の分割どころに、フレーム部分の内側の広がりが凹曲線形状となるような構成で、ストリングの目の密度やフェイス面積に適応してフェイスとフェイスのフレーム全体を凹凸曲線形状の左右対称の変形構造にし、ストリング密度とフレーム形状を可変することによって、反発力を高め、反発性の均一化とコントロール性を上げ、衝撃、振動の緩和を総合的に実現することを特徴とする。【０００６】  又、請求項３の発明は、テニスラケットの各種フェイス、及び、フェイス面積上において、ストリングの目の密度が最小の縦糸と横糸のフレーム部分で、広がりが最大限となる４箇所のスイートエリアの区分部のフレーム・パイプ内外周のストリングのグロメット面側か全面側に正弦曲線形状、ジグザグ曲線形状のフレーム、あるいは、フレーム・パイプ内部に衝撃緩和・振動吸収機能、弾性素材などの材料を含むものを、フレームの広さが大きい４箇所の部分かフェイスのフレーム全体的に融合したフレームを設けることで、ボールインパクト時の衝撃、振動を軽減することを特徴とする。
【発明の効果】
【０００７】  本発明により、ストリングの目の密度が細から粗へ移行することで、反発性に均一化、スイートスポットの中心を多少ずれても、反発力を安定したボールインパクトで保持、フレームなどのねじれが抑制され、フェイス面の安定性も高くなり、高いスキルの運動レベルでの競技や練習ができ、対応能力、運動能力を向上させ、効果的な威力を発揮することができる。【０００８】  スイートスポットの中央部のストリングの目を細にし、反発力が下がり、補正するため、フェイス・フレームの縦方向と横方向に凸曲線形状の広がりを、意図的に周囲より極端に大きくして、縦横の長さ、更に幅も調整することで、ストリングのたわみ効果が加減でき、たわみを大きくすることによって、スイートスポットが拡大し、衝撃、振動吸収を良くし、反発力が上がることになり、ストリングの目が細であることから、コントロール性も高性能を保持することから、エキスパートと一般プレーヤーの矛盾した特質性がある、顕在的課題を緩和することができ、利用距離間が小さくなり、マルチタイプ的な要素を保有して、ラケット技術性能が向上した、オールラウンドのものである。【０００９】  各プレーヤーのレベルや要望により、ラケットの技術性能が変化した普遍的なものになり、スイートスポット、スイートエリアをフェイスをどの位置に、どのようにするか、ストリング密度の範囲などで、適応した変形構造のものが可能になることから、プレーヤーに適合したラケット技術性能を有したものを選定でき、運動へのモチベーションも高まり、快適な緊張感の中でテニスを楽しむことができ、興味に持続性ができる奥深いマテリアルを提供することができる。【００１０】  本発明の変形構造のテニスラケットは、性能効果が大きく、従来のフェイス面積よりも小さくできる構成要素を備えているので、本質的には、スイング時の空気抵抗を下げ向上したものであり、フェイスの形が多様な変形構造に構成することができることから、自由な形、パフォーマンスができ、初心者から上級者までの全階級を対象とした運動形態であるため、各自の技術技能レベルにあった活用方法や運動学習が可能である。【００１１】  フレームの広がりが最大限となる４箇所の区分部のフェイス・フレームのしなりやねじれとストリングのたわみが大きい部分にフレーム・パイプ内外周のストリングのグロメット面側か全面側に正弦曲線形状、ジグザグ曲線形状のフレーム、あるいは、フレーム・パイプ内部に衝撃緩和・振動吸収機能、弾性素材などの材料を含むものを、フェイスのフレーム全体的にも効果的に融合したフレームを設けることで、ボールインパクト時の衝撃、振動を吸収する。又、本発明の凹凸曲線形状の変形構造は、ボールインパクト時の衝撃、振動を比較的に軽減しやすいものである。【００１２】  ストリング密度を可変しないで、各種の細目、中目、粗目などの一定した構成のものにすることも可能であり、特に、細目、中目が効果的である。又、本発明の変形構造のテニスラケットは、硬式・軟式テニスは勿論、バドミントンのバドミントンラケットなどにも応用することができ、利用範囲が広いものである。
【発明を実施するための最良の形態】
【００１３】  図１は、変形構造のテニスラケットのフェイス部分の概略平面図で、スイートスポットの中心部はストリングの目を最小にし、中心部からフレームにかけて、ストリングの目の密度を徐々に細から粗へ、プレーヤーの運動形態、運動能力、運動感覚によって、ストリングの使用本数、目の密度などのバランスを考慮した選定できるものを、適度に間隔を広くして行き、フレーム部分でストリングの目が最大となるようにして、ストリングの目の密度が最小の縦糸と横糸のフレーム部分の内側のフェイス・フレームの縦方向と横方向に凸曲線形状の広がりを周囲より極端に大きくした最大限とし、縦方向と横方向の広がりの最大限の隣り合わせの、中間どころや複数の分割どころに、フレーム部分の内側の広がりが凹曲線形状となるような構成で、ストリングの目の密度やフェイス面積に適応してフェイスとフェイスのフレーム全体を凹凸曲線形状の左右対称の変形構造にし、ストリング密度とフェイス・フレーム形状や面積、凸曲線形状の縦横の広がりが最大限部分の長さ・幅を可変するような形体にする。【００１４】  図２は、各フェイスの形の概略図例であり、本発明の特許請求の範囲を満足すれば、この限りではない。【００１５】  図３は、フレーム凸曲線形状部の概略断面図で、図面上ではＦのフレーム・パイプ（普通部）、Ｇのフレーム・パイプ（曲線形状部）、Ｈの衝撃振動吸収機能・材料が直線上になっているが、実際は曲線上の構造のものであり、ストリングの目の密度が最小の縦糸と横糸のフレーム部分で、広がりが最大限となる４箇所のスイートエリアの区分部のフレーム・パイプ内外周のストリングのグロメット面側か全面側に正弦曲線形状、ジグザグ曲線形状のフレーム、あるいは、フレーム・パイプ内部に衝撃緩和・振動吸収機能、弾性素材などの材料を含むものを、フレームの広さが大きい４箇所の部分かフェイスのフレーム全体的に融合したフレームを構成するように設ける。【００１６】  この変形構造のテニスラケットは、スイートスポットの中央部はストリングの目を細にすることで、反発力が下がるような形になるが、これを補正するため、フェイス・フレームの縦方向と横方向に凸曲線形状の広がりを、意図的に周囲より極端に大きくして、縦横の長さ、更に幅も調整することで、ストリングのたわみ効果が加減でき、たわみを大きくすることによって、スイートスポットが拡大し、衝撃、振動吸収を良くし、反発力が上がることになり、ストリングの目が細であることから、コントロール性は高性能を保有することができる。又、基本的には、ストリングの目の密度を徐々に細から粗への穏和な可変に適合して、フェイス・フレームの広がりを作り出すようにし、ストリング密度とフレーム形状の広がりは同調したものが理想的であるが、各プレーヤーのレベルや要望により、ラケットの技術性能が変化した普遍的なものになり、スイートスポット、スイートエリアをフェイスをどの位置に、どのようにするか、ストリング密度の範囲などで、適応した変形構造のものが可能になる。ストリングの目の密度が緩和的に徐々に細から粗へ移行する構成によって、反発性に均一化ができ、スイートスポットの中心を多少ずれて外しても、反発力がほとんど変わらない安定した���ールインパクトが保持でき、フレームなどのねじれが抑制され、フェイス面の安定性も高くなる。【００１７】  本発明は、従来の各フェイスの形の状態で、内外形を凹凸曲線形状の変形構造にするだけでは、スイング時の空気抵抗が大きくなるため、凹凸曲線形状の内外形を同調させ、一体化することによって、スイング時の空気抵抗を小さくすることができ、フェイス面積は、凹凸曲線形状の左右対称の変形構造になって、凸曲線形状はストリングの長さを大きくするため、凹曲線形状は凸部分でフェイス面積が増加した分を小さくして修正するためで、ストリングの目の密度を細から粗へを含んだ、フェイス・フレームとストリングのスイング時の空気抵抗は、総合的に従来のものとほとんど同じであり、変化がないようにしたものである。しかし、本発明の変形構造のテニスラケットは、性能効果が大きく、従来のフェイス面積よりも小さくできる構成要素を備えているので、むしろ、スイング時の空気抵抗を下げ向上したものである。【００１８】  フレームの広がりが最大限となる４箇所の区分部のフェイス・フレームのしなりやねじれとストリングのたわみが大きい部分にフレーム・パイプ内外周のストリングのグロメット面側か全面側に正弦曲線形状、ジグザグ曲線形状のフレーム、あるいは、フレーム・パイプ内部に衝撃緩和・振動吸収機能、弾性素材などの材料を含むものを、フェイスのフレーム全体的にも効果的に融合したフレームを設けることで、ボールインパクト時の衝撃、振動を吸収する。又、本発明の凹凸曲線形状の変形構造は、ボールインパクト時の衝撃、振動を比較的に軽減しやすいものである。【００１９】  本発明の凹凸曲線形状の左右対称の変形構造は、ストリング密度を可変しないで、各種の細目、中目、粗目などの一定した構成のものにすることも可能であり、特に、細目、中目が効果的である。【００２０】  従来の各フェイスの形のものにも、ストリングの目の密度をスイートスポットの中央部からフェイス・フレームへ、徐々に細から粗へと可変させる構成のものにすることも可能で有用なものである。【００２１】  本発明は、バドミントンラケットにも応用することができ、利用できる。
【産業上の利用可能性】
【００２２】  本発明に係る変形構造のテニスラケットは、工業的に量産する事が可能であるため、産業上の利用可能性を有する。
【図面の簡単な説明】
【００２３】
【図１】    フェイス部分の概略平面図
【図２】    各フェイスの形の概略図
【図３】    フレーム凸曲線形状部の概略断面図
【符号の説明】
【００２４】図中の文字、数字は次の通りである。
Ａ  ：フェイス                        Ｂ  ：フレーム
Ｃ  ：縦糸                            Ｄ  ：横糸
Ｅ  ：シャフト                        Ｆ  ：フレーム・パイプ（普通部）
Ｇ  ：フレーム・パイプ（曲線形状部）  Ｈ  ：衝撃振動吸収機能・材料
１  ：フェイス例１（従来の四角型を変形）
２  ：フェイス例２（従来の丸型を変形）
３  ：フェイス例３（従来の楕円型の上下移動した広がりを変形）
４  ：フェイス例４（従来の楕円型の上下移動した広がりを変形）
５  ：フェイス例５（従来の楕円型を複数凹凸曲線形状のものに変形）
【図１】
2007130406.tif 000003
【図２】
2007130406.tif 000004
【図３】
2007130406.tif 000005